(57)【要約】【課題】  利用者がカラオケ楽曲を検索する際に、公開された歌唱映像が存在するか否かを識別できるようにして、公開されている歌唱映像を容易に視聴可能とする。【解決手段】  歌唱音声を録音又は前記歌唱映像を録音録画した際に演奏されたカラオケ楽曲の楽曲識別情報と、当該歌唱音声又は当該歌唱映像とを関連付けて、所定の記憶領域に記憶させる歌唱データ記憶手段２３と、記憶された歌唱映像及び歌唱音声に関連付けられた楽曲識別情報に基づいて、公開楽曲リスト２６を作成する公開楽曲リスト作成手段２４と、カラオケ楽曲の検索結果を表示する際に、検索結果であるカラオケ楽曲に関連付けられている楽曲識別情報が公開楽曲リスト２６に含まれているカラオケ楽曲と、含まれていないカラオケ楽曲とを識別可能に表示する検索結果表示手段３７ｅを備える。【選択図】図１
2014109682.tif 000002
【特許請求の範囲】
【請求項１】
カラオケ楽曲の演奏に伴い録音した歌唱音声と、カラオケ楽曲の演奏に伴い録画した歌唱動画及び録音した歌唱音声からなる歌唱映像とを公開可能であり、利用者が選曲のためにカラオケ楽曲を検索する際に、前記公開された歌唱映像又は歌唱音声が存在するカラオケ楽曲を識別可能に表示するためのシステムであって、歌唱データ記憶手段と、公開楽曲リスト作成手段と、楽曲検索手段と、検索結果表示手段と、を備え、
前記歌唱データ記憶手段は、少なくとも、前記歌唱音声を録音又は前記歌唱映像を録音録画した際に演奏されたカラオケ楽曲の楽曲識別情報と、当該歌唱音声又は当該歌唱映像とを関連付けて、所定の記憶領域に記憶し、
前記公開楽曲リスト作成手段は、前記記憶された歌唱映像及び歌唱音声に関連付けられた楽曲識別情報に基づいて、公開楽曲リストを作成し、
前記楽曲検索手段は、利用者が入力した検索条件に基づいてカラオケ楽曲を検索し、
前記検索結果表示手段は、前記検索した結果に基づくカラオケ楽曲を表示する際に、当該カラオケ楽曲に関連付けられている楽曲識別情報が前記公開楽曲リストに含まれているカラオケ楽曲と、含まれていないカラオケ楽曲とを識別可能に表示する、
ことを特徴とするカラオケ楽曲検索時における歌唱データ存在識別表示システム。
【請求項２】
歌唱データ一覧表示手段をさらに備え、
前記歌唱データ一覧表示手段は、前記表示したカラオケ楽曲に関連付けられている楽曲識別情報が前記公開楽曲リストに含まれているカラオケ楽曲について、利用者からの所定の操作入力があった場合、前記記憶領域に記憶されている、当該カラオケ楽曲の楽曲識別情報に関連付けられた歌唱音声又は歌唱映像を一覧表示することを特徴とする請求項１に記載のカラオケ楽曲検索時における歌唱データ存在識別表示システム。
【発明の詳細な説明】
【技術分野】
【０００１】
本発明は、カラオケ楽曲の演奏に伴い録音した歌唱音声と、カラオケ楽曲の演奏に伴い録画した歌唱動画及び録音した歌唱音声からなる歌唱映像とを公開可能であり、利用者が選曲のためにカラオケ楽曲を検索する際に、公開された歌唱映像又は歌唱音声が存在する旨を識別可能に表示するためのシステムに関するものである。
【背景技術】
【０００２】
ネットワーク接続されたカラオケシステムには、歌唱データ共有システムとして、自らの歌唱音声や歌唱姿態を録音録画して公開する機能を有しているものがある。この歌唱データ共有システムでは、予めメンバー登録した利用者がカラオケシステムにログインし、歌唱音声の録音を行い、あるいは歌唱動画の録画を行い、録音した歌唱音声や録画した歌唱動画をサーバにアップロードして公開することができる。
【０００３】
歌唱音声や歌唱動画を公開する技術として、所望する歌唱感を有する歌唱者を検索することができるカラオケ装置が開示されている（特許文献１参照）。この特許文献１に記載されたカラオケ装置は、サーバ装置と接続されており、サーバ装置のＣＰＵが、通信部を介して歌唱分析データを受信したことを検知すると、受信した歌唱分析データと歌唱分析データベース記憶領域に記憶された歌唱分析データとを比較して、その一致度に応じて、歌唱分析データベース記憶領域から１以上の歌唱分析データを選択する。また、ＣＰＵは、選択した歌唱分析データと対応する識別情報を歌唱分析データベース記憶領域から読み出して、読み出した識別情報を、通信ネットワークを介してカラオケ装置に送信する。カラオケ装置のＣＰＵは、受信した識別情報が示す歌唱者を表示部に表示させる。
【０００４】
また、複数の歌唱の動画コンテンツを組み合わせたコンテンツの創作に好適な動画コンテンツを検索することができる動画コンテンツ検索装置に関する技術が開示されている（特許文献２参照）。この特許文献２に記載された動画コンテンツ検索装置は、複数のカラオケユーザそれぞれの歌唱に係る動画コンテンツデータと、歌唱を行ったカラオケユーザを識別するためのユーザ識別情報と、動画コンテンツデータに対する評価内容を含む動画評価情報を対応付けて記憶している。また、動画コンテンツ検索装置は、ユーザ識別情報に対応するカラオケユーザの歌唱に対する評価内容を含む歌唱評価情報を対応付けたテーブルと、特定の動画評価情報及び歌唱評価情報を検索条件とする動画コンテンツデータの検索要求を受信する受信手段と、受信手段にて検索要求を受信した場合、検索要求に係る特定の動画評価情報及び歌唱評価情報並びにテーブルに基づいて、動画コンテンツデータを検索する検索手段とを備えている。
【先行技術文献】
【特許文献】
【０００５】
【特許文献１】特開２００７−２５６６１８号公報
【特許文献２】特開２０１１−７５７０８号公報
【発明の概要】
【発明が解決しようとする課題】
【０００６】
上述したように、現在のカラオケシステムでは、公開されている歌唱音声や歌唱映像を視聴することができる。また、カラオケ演奏端末では、カラオケリモコン装置等を利用して、楽曲名、アーティスト名、楽曲ＩＤ、流行時期等、種々の検索条件に基づいて、利用者が所望するカラオケ楽曲を検索するシステムが確立されている。
【０００７】
しかし、一般的なカラオケ楽曲の検索システムでは、検索条件に合致したカラオケ楽曲を一覧表示することができるが、各カラオケ楽曲について、歌唱音声又は歌唱映像が公開されているか否かを知ることはできなかった。このため、公開された歌唱音声又は歌唱映像の視聴を所望する利用者は、カラオケリモコン装置等を利用したカラオケ楽曲の検索とは別に、自ら所有するパーソナル携帯端末やパーソナルコンピュータ等を利用し、あるいは再度、カラオケリモコン装置を用いて、公開された歌唱音声又は歌唱映像の検索を行わなければならなかった。
【０００８】
このような二重の検索システムでは、利用者に過重な検索負担を課すことになり、カラオケ店等において、容易に公開された歌唱音声又は歌唱映像を検索するためのシステムの開発が望まれていた。
【０００９】
本発明は、上述した事情に鑑み提案されたもので、利用者がカラオケ楽曲を検索して検索結果を一覧表示する際に、公開された歌唱音声又は歌唱映像が存在するか否かを識別可能とした、カラオケ楽曲検索時における歌唱データ存在識別表示システムを提供することを目的とする。
【課題を解決するための手段】
【００１０】
本発明のカラオケ楽曲検索時における歌唱データ存在識別表示システムは、上述した目的を達成するために提案されたもので、以下の特徴を有している。すなわち、本発明のカラオケ楽曲検索時における歌唱データ存在識別表示システムは、カラオケ楽曲の演奏に伴い録音した歌唱音声と、カラオケ楽曲の演奏に伴い録画した歌唱動画及び録音した歌唱音声からなる歌唱映像とを公開可能であり、利用者が選曲のためにカラオケ楽曲を検索する際に、公開された歌唱映像又は歌唱音声が存在するカラオケ楽曲を識別可能に表示するためのシステムであって、歌唱データ記憶手段と、公開楽曲リスト作成手段と、楽曲検索手段と、検索結果表示手段とを備えたことを特徴とするものである。
【００１１】
歌唱データ記憶手段は、少なくとも、歌唱音声を録音又は前記歌唱映像を録音録画した際に演奏されたカラオケ楽曲の楽曲識別情報と、当該歌唱音声又は当該歌唱映像とを関連付けて、所定の記憶領域に記憶するための手段である。公開楽曲リスト作成手段は、記憶された歌唱映像及び歌唱音声に関連付けられた楽曲識別情報に基づいて、公開楽曲リストを作成するための手段である。公開楽曲リストとは、公開された複数の歌唱音声及び歌唱映像について、重複した楽曲識別情報が存在した場合に、その楽曲情報を統一してリスト化したものである。
【００１２】
楽曲検索手段は、利用者が入力した検索条件に基づいてカラオケ楽曲を検索するための手段である。検索結果表示手段は、検索した結果に基づくカラオケ楽曲を表示する際に、当該カラオケ楽曲に関連付けられている楽曲識別情報が公開楽曲リストに含まれているカラオケ楽曲と、含まれていないカラオケ楽曲とを識別可能に表示するための手段である。
【００１３】
また、本発明のカラオケ楽曲検索時における歌唱データ存在識別表示システムは、上述した構成に加えて、表示したカラオケ楽曲に関連付けられている楽曲識別情報が前記公開楽曲リストに含まれているカラオケ楽曲について、利用者からの所定の操作入力があった場合、記憶領域に記憶されている、当該カラオケ楽曲の楽曲識別情報に関連付けられた歌唱音声又は歌唱映像を一覧表示する歌唱データ一覧表示手段をさらに備えることが可能である。
【００１４】
上述した構成からなるカラオケ楽曲検索時における歌唱データ存在識別表示システムでは、カラオケ楽曲を演奏する際に、利用者の所望により、歌唱音声を録音し、あるいは歌唱動画及び歌唱音声からなる歌唱映像を収録することができる。この歌唱音声又は歌唱映像は、歌唱データを管理するサーバ等にアップロードされる。そして、歌唱データ記憶手段の機能により、歌唱音声を録音又は前記歌唱映像を録音録画した際に演奏されたカラオケ楽曲の楽曲識別情報と、当該歌唱音声又は当該歌唱映像とを関連付けて、所定の記憶領域（例えば、ＨＤＤ）に記憶する。
【００１５】
歌唱映像がアップロード（公開）されると、公開楽曲リスト作成手段の機能により、歌唱映像及び歌唱音声に関連付けられた楽曲識別情報に基づいて、公開楽曲リストが作成される。
【００１６】
そして、利用者がカラオケ楽曲を選曲する際に、楽曲検索手段の機能により、利用者が入力した検索条件（曲名、アーティスト名、流行時期等）に基づいてカラオケ楽曲を検索する。検索結果は、例えば、カラオケリモコン装置の入出力表示部に一覧表示される。
【００１７】
この際、検索結果表示手段の機能により、公開楽曲リストを参照して、検索結果となったカラオケ楽曲に関連付けられている楽曲識別情報が、公開楽曲リストに含まれているカラオケ楽曲と、含まれていないカラオケ楽曲とを識別可能に表示する。検索結果に含まれるカラオケ楽曲の楽曲識別情報を有する歌唱音声又は歌唱映像が存在する旨の報知は、例えば、検索結果の一覧表示において、該当するカラオケ楽曲の表示欄に公開アイコンを表示したり、該当するカラオケ楽曲の表示を強調したり、該当するカラオケ楽曲の表示色を変更したりすればよい。
【００１８】
また、歌唱データ一覧表示手段を備えた構成の場合には、利用者からの所定の操作入力があると、表示したカラオケ楽曲に関連付けられている楽曲識別情報が公開楽曲リストに含まれているカラオケ楽曲について、所定の記憶領域に記憶されている、当該カラオケ楽曲の楽曲識別情報に関連付けられた歌唱音声又は歌唱映像を一覧表示する。例えば、該当するカラオケ楽曲の表示欄に付帯された公開アイコンをクリック（タップ）したり、該当するカラオケ楽曲の表示をクリック（タップ）したりすることにより、当該カラオケ楽曲の楽曲識別情報に関連付けられた歌唱音声又は歌唱映像が一覧表示される。
【発明の効果】
【００１９】
本発明のカラオケ楽曲検索時における歌唱データ存在識別表示システムによれば、利用者がカラオケ楽曲の検索を行った場合に、検索結果の一覧表示において、公開された歌唱音声又は歌唱映像が存在する旨を識別可能に表示する。このため、利用者は、通常のカラオケ楽曲検索を行うだけで、公開された歌唱音声又は歌唱映像が存在するか否かを認識することができ、別途、公開された歌唱音声又は歌唱映像が存在するか否かの検索を行う必要がない。
【００２０】
したがって、利用者に過重な検索負担を課すことがなく、カラオケ店等において、容易に公開された歌唱音声又は歌唱映像を検索することが可能となる。また、歌唱データ一覧表示手段を備えた構成の場合には、公開された歌唱音声又は歌唱映像が存在するカラオケ楽曲について、利用者の指示に基づいて、当該歌唱音声又は歌唱映像の一覧表示が行われるので、より一層容易に公開された歌唱音声又は歌唱映像を検索することが可能となる。
【図面の簡単な説明】
【００２１】
【図１】本発明の実施形態に係るカラオケ楽曲検索時における歌唱データ存在識別表示システムを適用したカラオケ演奏端末の構成を示すブロック図。
【図２】録音録画データベースの構成を示す説明図。
【図３】公開楽曲リストの構成を示す説明図。
【図４】楽曲検索結果の一覧表示画面を示す模式図。
【図５】歌唱音声又は歌唱映像の一覧表示画面を示す模式図。
【発明を実施するための形態】
【００２２】
以下、図面を参照して、本発明のカラオケ楽曲検索時における歌唱データ存在識別表示システム（以下、歌唱データ存在識別表示システムと略記する）の実施形態について説明する。図１〜図５は本発明の実施形態に係る歌唱データ存在識別表示システムを示すもので、図１は歌唱データ存在識別表示システムを適用したカラオケ演奏端末の構成を示すブロック図、図２は録音録画データベースの構成を示す説明図、図３は公開楽曲リストの構成を示す説明図、図４は楽曲検索結果の一覧表示画面を示す模式図、図５は歌唱音声又は歌唱映像の一覧表示画面を示す模式図である。
【００２３】
＜システムの概要＞
本発明の実施形態に係る歌唱データ存在識別表示システムは、カラオケ楽曲の演奏に伴い録音した歌唱音声と、カラオケ楽曲の演奏に伴い録画した歌唱動画及び録音した歌唱音声からなる歌唱映像とを公開可能であり、利用者が選曲のためにカラオケ楽曲を検索する際に、公開された歌唱映像又は歌唱音声が存在するカラオケ楽曲を識別可能に表示するためのシステムである。
【００２４】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２５】
本発明の実施形態に係る歌唱データ存在識別表示システム１０は、図１に示すように、歌唱データ記憶手段２３と、公開楽曲リスト作成手段２４と、楽曲検索手段３７ａと、検索結果表示手段３７ｅとにより実現される。さらに、本発明の実施形態に係る歌唱データ存在識別表示システム１０は、図１に示すように、歌唱データ一覧表示手段３７ｆを備えることが可能である。
【００２６】
本実施形態では、歌唱データ記憶手段２３、公開楽曲リスト作成手段２４は、歌唱データ管理サーバ２０の構成要素となっており、楽曲検索手段３７ａ、検索結果表示手段３７ｅ、歌唱データ一覧表示手段３７ｆは、カラオケリモコン装置３７の構成要素となっているが、本発明の歌唱データ存在識別表示システム１０は、これらの構成要素を備えていればよく、その存在場所は実施形態の態様に限定されない。
【００２７】
本発明の実施形態に係る歌唱データ存在識別表示システム１０は、図１に示すように、歌唱データ管理サーバ２０と複数のカラオケ演奏端末３０とが、ルータ７０及び通信ネットワーク（本実施形態では、インターネット４０）を介して相互に接続されている。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット４０により構成されるＶＰＮを利用することが好ましい。
【００２８】
＜歌唱データ管理サーバ＞
歌唱データ管理サーバ２０は、歌唱音声及び歌唱映像を格納して公開するためのサーバで、サーバ制御手段２１、データ送受信手段２２、歌唱データ記憶手段２３、公開楽曲リスト作成手段２４、録音録画データベース２５、公開楽曲リスト２６を備えている。なお、歌唱映像や歌唱音声を管理するための専用の歌唱データ管理サーバ２０を備えるのではなく、他のサーバに歌唱データ管理サーバ２０の機能を兼ね備えさせてもよい。また、仮想化技術により、一つのサーバを複数の機能を有するサーバとして機能させ、仮想化サーバの一つとして歌唱データ管理サーバ２０を構築することができる。
【００２９】
＜サーバ制御手段／データ送受信手段＞
サーバ制御手段２１は、歌唱データ管理サーバ２０を統括的に制御するための手段であり、ＣＰＵ及びその周辺機器を含んで構成され、ＣＰＵ等がＲＯＭ等に格納されたプログラムに従って動作することにより制御機能を発揮するようになっている。データ送受信手段２２は、各カラオケ演奏端末３０との間で、歌唱映像等の各種データの送受信を行うための手段であり、通信ネットワーク（インターネット４０）における通信方式の整合性を保つための通信回路やプログラムにより構成される。
【００３０】
＜歌唱データ記憶手段＞
歌唱データ記憶手段２３は、少なくとも、歌唱音声を録音又は歌唱映像を録音録画した際に演奏されたカラオケ楽曲の楽曲識別情報と、当該歌唱音声又は当該歌唱映像とを関連付けて記憶させるためのプログラムからなる。すなわち、歌唱データ記憶手段２３は、カラオケ演奏端末３０から歌唱音声又は歌唱映像がアップロードされると（送信されてくると）、歌唱音声を録音又は歌唱映像を録音録画した際に演奏されたカラオケ楽曲の楽曲ＩＤと、当該歌唱音声又は当該歌唱映像とを関連付けて所定の記憶領域に記憶する。所定の記憶領域は、例えばＨＤＤ等の記憶装置（図示せず）により構成される。
【００３１】
＜録音録画データベース＞
録音録画データベース２５は、図２に示すように、歌唱データ記憶手段２３の機能により記憶された歌唱音声及び歌唱映像について、データＩＤ、楽曲ＩＤ、利用者ＩＤ等を関連付けて構成したデータベースである。なお、録音録画データベース２５を構成するデータは、上述したデータの他に、利用者のハンドル名、録音録画日時、サムネイル画像、性別、年齢、収録日時、居住地域等、他のデータを付加してもよい。
【００３２】
＜公開楽曲リスト作成手段＞
公開楽曲リスト作成手段２４は、歌唱データ記憶手段２３の機能により記憶された歌唱音声及び歌唱映像に関連付けられた楽曲ＩＤに基づいて、公開楽曲リスト２６を作成するためのプログラムからなる。すなわち、公開楽曲リスト作成手段２４は、録音録画データベース２５に記憶された歌唱音声及び歌唱映像に関連付けられた楽曲ＩＤについて、重複した楽曲ＩＤが存在した場合に、その重複した分の楽曲ＩＤを排除した公開楽曲リスト２６を作成する。
【００３３】
＜公開楽曲リスト＞
公開楽曲リスト２６は、図３に示すように、公開された歌唱音声及び歌唱映像について、楽曲ＩＤをリスト化したデータである。この公開楽曲リスト２６を参照することにより、公開された歌唱音声及び歌唱映像が存在するカラオケ楽曲の存在を確認することができる。なお、本実施例では公開楽曲リスト２６を歌唱データ管理サーバ２０に備えているが、所定のタイミングにて公開楽曲リスト２６を作成した際に、予めカラオケリモコン装置３７に公開楽曲リスト２６を配信しておいてもよい。
【００３４】
＜カラオケ演奏端末＞
本発明の実施形態に係る歌唱データ存在識別表示システム１０を適用するカラオケ演奏端末３０は、図１に示すように、カラオケ本体３１、スピーカ３２、マイクロホン３３、表示装置３４、ビデオカメラ３５、ミキシングアンプ３６、カラオケリモコン装置３７を備えている。
【００３５】
＜マイクロホン／スピーカ＞
マイクロホン３３は、歌唱音声の入力を行うための装置である。マイクロホン３３から入力された歌唱音声信号は、ミキシングアンプ３６により、音楽再生制御手段５８から送出される演奏音声信号とミキシングされると共に増幅され、スピーカ３２へ出力される。なお、マイクロホン３３からの音声入力信号は、Ａ／Ｄコンバータ５９によりデジタル変換されて、歌唱音声録音手段６１における歌謡音声の録音等に使用される。
【００３６】
＜表示装置＞
表示装置３４は、カラオケ楽曲に関連した背景映像や歌詞テロップ等を表示するための装置で、例えば、液晶ディスプレイ等により構成される。
【００３７】
＜カラオケ本体＞
カラオケ本体３１は、図１に示すように、ネットワーク送受信手段５１、中央制御手段５２、ＲＯＭ５３、ＲＡＭ５４、ＨＤＤ５５、ローカル送受信手段５６、予約管理手段５７、音楽再生制御手段５８、Ａ／Ｄコンバータ５９、映像再生制御手段６０、歌唱音声録音手段６１、歌唱動画録画手段６２、歌唱映像生成手段６３を備えている。
【００３８】
＜中央制御手段＞
中央制御手段５２は、カラオケ本体３１を総合的に制御するための手段であり、例えばＣＰＵ及びその周辺機器により構成されており、ＣＰＵ等がＲＯＭ５３等に記憶されたプログラムに従って動作することにより、制御機能を発揮することができるようになっている。
【００３９】
＜ＲＯＭ／ＲＡＭ＞
ＲＯＭ５３は、カラオケ本体３１を構成する各機器を制御するためのプログラムデータや数値データを記憶するための機器で、例えば半導体メモリ等で構成される。また、ＲＡＭ５４は、プログラムや各種データを一時的に記憶する一時記憶領域として機能するもので、例えば半導体メモリ等で構成される。なお、物理的な半導体メモリによりＲＡＭ５４を構成するのではなく、ＨＤＤ等を用いて仮想的なＲＡＭ５４を構成してもよい。本実施形態では、ＲＡＭ５４に予約待ち行列５４ａが記憶されるようになっている。この予約待ち行列５４ａは、選曲予約されたカラオケ楽曲について、演奏順に楽曲ＩＤを並べて構成したデータテーブルであり、選曲者の利用者ＩＤ等、他の識別データが紐付けられている場合もある。
【００４０】
＜ＨＤＤ＞
ＨＤＤ５５は、大容量記憶装置として機能するもので、楽曲データベース５５ａ、映像データベース５５ｂ、歌唱映像データ５５ｃ、歌唱音声データ５５ｄが格納されている。なお、ＨＤＤ５５に替えて、あるいはＨＤＤ５５と共に、データを書き替え可能なＤＶＤ等の大容量記憶装置を用いてもよい。
【００４１】
＜楽曲データベース／映像データベース＞
楽曲データベース５５ａは、複数のカラオケ楽曲について、演奏データ及び歌詞描出データが同期されて構成される楽曲データについて、楽曲ＩＤと対応付けてそれぞれ構成されたデータベースである。歌詞描出データは演奏に同期した歌詞文字の表示タイミングデータ及び色変わりデータを含んでいる。映像データベース５５ｂは、演奏されるカラオケ楽曲に対応した背景映像を、当該カラオケ楽曲の楽曲ＩＤに対応させた映像ファイルとして所定数格納したデータベースである。
【００４２】
＜歌唱映像データ／歌唱音声データ＞
歌唱映像データ５５ｃは、歌唱映像生成手段６３により生成した歌唱映像のデータであり、カラオケ楽曲の演奏に伴い録画した歌唱動画及び録音した歌唱音声のデータからなる。また、歌唱音声データ５５ｄは、カラオケ楽曲の演奏に伴い録音した歌唱音声のみからなるデータである。
【００４３】
＜送受信手段＞
ローカル送受信手段５６は、カラオケ本体３１とカラオケリモコン装置３７との間で、データの送受信を行うための電子回路及びプログラムからなる。本実施形態では、赤外線通信により、カラオケ本体３１とカラオケリモコン装置３７との間でデータの送受信が行われる。ネットワーク送受信手段５１は、カラオケ本体３１と歌唱データ管理サーバ２０との間で、データの送受信を行うための電子回路及びプログラムからなる。
【００４４】
＜予約管理手段＞
予約管理手段５７は、楽曲検索手段３７ａの機能を用いて検索され、選曲予約された楽曲ＩＤを演奏順に並べて予約待ち行列５４ａを生成し、この予約待ち行列５４ａをＲＡＭ５４に格納して管理するためのプログラムからなる。
【００４５】
＜音楽再生制御手段＞
音楽再生制御手段５８は、楽曲ＩＤに基づいて楽曲データベース５５ａから抽出された演奏データを、ミキシングアンプ３６に出力するための電子回路からなる。なお、演奏データがＭＩＤＩ規格の演奏制御データである場合には、この演奏制御データに基づいて、音源データをデジタル再生すると共にアナログ変換してミキシングアンプ３６に出力する。上述したように、ミキシングアンプ３６は、マイクロホン３３から入力された歌唱者の歌唱音声信号と、音楽再生制御手段５８から送出される演奏音声信号とをミキシングすると共に、アンプ機能により増幅してスピーカ３２より出力するための装置である。
【００４６】
＜映像再生制御手段＞
映像再生制御手段６０は、カラオケ楽曲の演奏中に、映像データベース５５ｂから抽出した背景映像データと、演奏データに含まれる歌詞描出データに基づく歌詞文字とを、当該カラオケ楽曲の演奏データに同期させて表示装置３４に出力するためのプログラムからなる。
【００４７】
＜歌唱音声録音手段＞
歌唱音声録音手段６１は、楽曲識別情報で特定されるカラオケ楽曲の演奏に伴う歌唱音声を録音するためのプログラムからなる。すなわち、歌唱音声録音手段６１は、カラオケ楽曲が演奏される際に、マイクロホン３３から入力される歌唱音声を録音する。なお、歌唱音声には、歌唱区間において利用者が歌唱した音声だけではなく、歌唱区間外において利用者が発した合いの手等の音声を含んでいてもよい。
【００４８】
＜歌唱動画録画手段＞
歌唱動画録画手段６２は、楽曲識別情報で特定されるカラオケ楽曲の演奏に伴う利用者の歌唱動画を録画するためのプログラムからなる。すなわち、歌唱動画録画手段６２は、ビデオカメラ３５から入力される映像信号を受信して、歌唱動画の録画を行う。
【００４９】
ビデオカメラ３５は、利用者の歌唱姿態を撮影するための装置であり、撮像レンズ及び撮像素子を主要な構成要素とし、フォーカシング機構、ズーム機構、パン・チルト機構等を備えていてもよい。ビデオカメラ３５で撮影が行われると、映像信号（ビデオ信号）が歌唱動画録画手段６２に入力される。
【００５０】
＜歌唱映像生成手段＞
歌唱映像生成手段６３は、歌唱動画を録画した場合に、当該歌唱動画及び同時に録音した歌唱音声を関連付けて歌唱映像を生成するためのプログラムからなる。なお、歌唱音声録音手段６１と歌唱動画録画手段６２とを一つの手段として構成し、歌唱音声と歌唱動画とが結合したファイルを作成してもよい。
【００５１】
＜カラオケリモコン装置＞
カラオケリモコン装置３７は、ユーザインタフェース機能を備えており、カラオケ本体３１のローカル送受信手段５６との間で有線方式又は無線方式によりデータの送受信を行うようになっている。このカラオケリモコン装置３７は、楽曲検索手段３７ａ、楽曲索引データベース３７ｂ、データ記憶部３７ｃ、入出力表示部３７ｄ、検索結果表示手段３７ｅ、データの送受信を行うための電子回路及びプログラム（図示せず）を備えている。
【００５２】
また、カラオケリモコン装置３７は、さらに、歌唱データ一覧表示手段３７ｆを備えることが可能である。このカラオケリモコン装置３７に付帯するスイッチ類や、入出力表示部３７ｄに表示される各種のアイコン等を操作することにより、選曲操作等が行われる。
【００５３】
＜楽曲検索手段／楽曲索引データベース＞
楽曲検索手段３７ａは、利用者が入力した検索条件に基づいてカラオケ楽曲を検索するためのプログラムからなる。すなわち、楽曲検索手段３７ａは、利用者による検索条件（曲名、歌手名、音楽ジャンル区分、流行時期等）の入力に基づき、楽曲索引データベース３７ｂを参照して楽曲を検索する。楽曲索引データベース３７ｂは、カラオケ演奏端末３０で演奏に供されるカラオケ楽曲について、その属性情報を記述したデータベースであり、例えば、楽曲ＩＤ・曲名・歌手名・歌い出し部分の歌詞・流行時期・音楽ジャンル区分・演奏形態・デュエット曲など、種々の属性情報がこれに含まれている。楽曲検索手段３７ａにより楽曲検索を行うとカラオケリモコン装置３７の入出力表示部３７ｄに、検索結果が一覧表示される。一覧表示については、後に詳述する。
【００５４】
＜データ記憶部＞
データ記憶部３７ｃは、選曲予約の履歴等を記憶するための領域で、図示しないが、選曲予約データ、選曲予約履歴データ等、各種のデータが記憶される。
【００５５】
＜入出力表示部＞
入出力表示部３７ｄは、例えば、タッチパネル式の液晶表示装置３４からなり、上述したように、楽曲検索手段３７ａにより検索を行う際の入力表示、検索結果の一覧表示、各種の案内表示等を行うと共に、表示されるアイコン等を操作することにより、入力指示を行うことができる。
【００５６】
＜検索結果表示手段＞
検索結果表示手段３７ｅは、カラオケ楽曲の検索結果を表示する際に公開楽曲リスト２６を参照し、検索結果に含まれるカラオケ楽曲に関連付けられている楽曲識別情報が公開楽曲リスト２６に含まれているカラオケ楽曲と、含まれていない楽曲とを識別可能に表示するためのプログラムからなる。特に、検索結果に含まれるカラオケ楽曲に関連付けられている楽曲情報が公開楽曲リスト２６に含まれているカラオケ楽曲、つまり、公開された歌唱音声又は歌唱映像が存在するカラオケ楽曲を識別可能とするためには、例えば、検索結果の一覧表示において、該当するカラオケ楽曲の表示欄に公開アイコンを表示したり、該当するカラオケ楽曲の表示を強調したり、該当するカラオケ楽曲の表示色を変更したりすればよい。
【００５７】
具体的には、図４に示すように、入出力表示部３７ｄの画面表示において、検索結果の楽曲表示を行う際に、公開された歌唱音声又は歌唱映像が存在するカラオケ楽曲の表示欄に公開アイコンを表示する。これにより、楽曲検索を行った利用者は、検索結果となったカラオケ楽曲について、公開された歌唱音声又は歌唱映像が存在する旨を認識することができる。なお、公開楽曲リスト２６を予めカラオケリモコン装置３７に配信しておいた場合には、検索の度に歌唱データ管理サーバ２０にアクセスする必要がない。
【００５８】
＜歌唱データ一覧表示手段＞
歌唱データ一覧表示手段３７ｆは、検索結果として表示したカラオケ楽曲に関連付けられている楽曲識別情報が公開楽曲リスト２６に含まれているカラオケ楽曲について、利用者からの所定の操作入力があった場合、記憶領域に記憶されている、当該カラオケ楽曲の楽曲ＩＤに関連付けられた歌唱音声又は歌唱映像を一覧表示するためのプログラムからなる。公開された歌唱音声又は歌唱映像の一覧表示を行うには、例えば、図４に示すような公開アイコンが表示されている場合に、当該公開アイコンをクリック（タップ）することにより、画面が切り替わって、公開された歌唱音声又は歌唱映像の一覧表示が行われる。
【００５９】
具体的には、図５に示すように、入出力表示部３７ｄの画面表示において、公開された歌唱音声又は歌唱映像のサムネイル表示、収録者の識別情報（ハンドル名、利用者ＩＤ等）が一覧表示される。
【００６０】
さらに、歌唱映像の一覧表示画面において、再生アイコンをクリック（タップ）することにより、当該歌唱音声又は歌唱映像の視聴を行うことができるように構成してもよい。
【００６１】
＜他の実施形態＞
本発明の歌唱データ存在識別表示システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、ネットワークを介して複数のカラオケ演奏端末３０を接続するのではなく、一つの店舗内において、ＬＡＮ接続された複数のカラオケ演奏端末３０と、当該店舗内に設置された歌唱データ管理サーバ２０とを利用して、歌唱データ存在識別表示システム１０を構成してもよい。
【符号の説明】
【００６２】
１０  歌唱データ存在識別表示システム
２０  歌唱データ管理サーバ
２１  サーバ制御手段
２２  データ送受信手段
２３  歌唱データ記憶手段
２４  公開楽曲リスト作成手段
２５  録音録画データベース
２６  公開楽曲リスト
３０  カラオケ演奏端末
３１  カラオケ本体
３２  スピーカ
３３  マイクロホン
３４  表示装置
３５  ビデオカメラ
３６  ミキシングアンプ
３７  カラオケリモコン装置
３７ａ  楽曲検索手段
３７ｂ  楽曲索引データベース
３７ｃ  データ記憶部
３７ｄ  入出力表示部
３７ｅ  検索結果表示手段
３７ｆ  歌唱データ一覧表示手段
４０  インターネット
５１  ネットワーク送受信手段
５２  中央制御手段
５３  ＲＯＭ
５４  ＲＡＭ
５４ａ  予約待ち行列
５５  ＨＤＤ
５５ａ  楽曲データベース
５５ｂ  映像データベース
５５ｃ  歌唱映像データ
５５ｄ  歌唱音声データ
５６  ローカル送受信手段
５７  予約管理手段
５８  音楽再生制御手段
５９  Ａ／Ｄコンバータ
６０  映像再生制御手段
６１  歌唱音声録音手段
６２  歌唱動画録画手段
６３  歌唱映像生成手段
７０  ルータ
【図１】
2014109682.tif 000003
【図２】
2014109682.tif 000004
【図３】
2014109682.tif 000005
【図４】
2014109682.tif 000006
【図５】
2014109682.tif 000007